(57)【要約】【課題】  非平面形状を有する表示画面に表示される多様な画像を、ユーザに対して、適切に視認可能にする。【解決手段】  表示画面７に表示する画像のデータを、上記表示画面７における画像の表示位置に応じて補正する制御手段５を備えていることを特徴とする。それにより、制御手段５が、表示する画像のデータを、表示画面７における画像の表示位置に応じて補正するため、例えば、ユーザに対して、非平面形状を有する表示画面７に表示される画像を、平面形状を有する表示画面に表示される画像により近い画像で視認させることができる。【選択図】  図１
2007225629.tif 000002
【特許請求の範囲】
【請求項１】
非平面形状を有する表示画面に画像を表示する表示装置において、
上記表示画面に表示する画像のデータを、上記表示画面における画像の表示位置に応じて補正する制御手段を備えていることを特徴とする表示装置。
【請求項２】
非平面形状を有する表示画面に画像を表示する表示装置において、
上記表示画面に表示する文字のデータを、文字の表示位置に応じて補正する制御手段を備えていることを特徴とする表示装置。
【請求項３】
非平面形状を有する表示画面に画像を表示する表示装置において、
上記表示画面に表示する画像のデータに、文字のデータが含まれているか否かを判別する文字有無判別手段と、
上記表示する画像のデータに文字のデータが含まれている場合には、少なくとも文字のデータに対して文字の表示位置に応じて補正を行う制御手段と、を備えていることを特徴とする表示装置。
【請求項４】
上記制御手段は、文字の形状を補正することを特徴とする請求項２または３に記載の表示装置。
【請求項５】
上記制御手段は、表示する画像のデータに含まれる文字のデータについて、各文字を構成する要素同士の相対位置を補正することを特徴とする請求項２または３に記載の表示装置。
【請求項６】
上記制御手段は、表示する画像のデータに含まれる文字のデータについて、文字の輪郭を構成する座標のデータを補正することを特徴とする請求項２または３に記載の表示装置。
【請求項７】
上記制御手段は、文字同士の相対位置を補正することを特徴とする請求項２または３に記載の表示装置。
【請求項８】
上記制御手段は、表示画面の各位置に表示する画像のデータを、表示画面に対するユーザの位置に応じて補正することを特徴とする請求項１〜７のいずれか１項に記載の表示装置。
【請求項９】
上記表示画面に対するユーザの位置を検出する検出手段を備えていることを特徴とする請求項８に記載の表示装置。
【請求項１０】
ユーザからの指示を受け付ける指示入力手段を備え、
上記制御手段は、上記指示入力手段に対するユーザの指示に応じて、上記表示画面に対するユーザの位置を判断することを特徴とする請求項８に記載の表示装置。
【請求項１１】
上記表示画面は、液晶パネルから成ることを特徴とする請求項１〜１０のいずれか１項に記載の表示装置。
【請求項１２】
請求項１〜１１のいずれか１項に記載の表示装置を備えることを特徴とする移動体。
【請求項１３】
非平面形状を有する表示画面に画像を表示する表示方法であって、
上記表示画面に表示する画像のデータを、表示画面における画像の表示位置に応じて補正することを特徴とする表示方法。
【請求項１４】
表示装置に備えられたコンピュータを、請求項１〜１１のいずれか１項に記載の表示装置における制御手段として機能させるための表示プログラム。
【請求項１５】
請求項１４に記載の表示プログラムを記録した記録媒体。
【発明の詳細な説明】
【技術分野】
【０００１】
本発明は、非平面形状を有する表示画面に画像を表示する表示装置、それを備えた移動体、表示方法、表示プログラム及びその記録媒体に関する。
【背景技術】
【０００２】
近年、曲面形状の表示面を有する表示装置（曲面ディスプレイ）の開発が進められている。
【０００３】
例えば、特許文献１には、ＥＬ（Electro Luminescence）シートからなる発光シートを備え、表示面が曲面である発光表示装置及びその製造方法に関する技術が記載されている。また、特許文献２には、曲面形状のＥＬに関する技術が記載されている。
【０００４】
また、特許文献３および４には、曲面表示用液晶パネルとその製造方法に関する技術が記載されている。
【０００５】
また、特許文献５には、曲面形状のホログラム・コンパイナを備えたヘッドアップディスプレイ（ＨＵＤ）が開示されている。
【０００６】
また、例えば特許文献６では、表示面を予め平坦な状態で湾曲による画像ひずみを考慮して補正し、この表示面を湾曲させることにより、湾曲した状態で自然な画像表示を視認できる表示装置が開示されている。
【特許文献１】特開平１１−７３１４８号公報（平成１１年３月１６日公開）
【特許文献２】特開２００１−５２８５６号公報（平成１３年２月２３日公開）
【特許文献３】特開２００３−２９５１６４号公報（平成１５年１０月１５日公開）
【特許文献４】特開平１０−２６８２７０号公報（平成１０年１０月９日公開）
【特許文献５】特開平２−２４６８４０号公報（平成２年１０月２日公開）
【特許文献６】特開２０００−７９８３７号公報（平成１２年３月２１日公開）
【発明の開示】
【発明が解決しようとする課題】
【０００７】
しかしながら、上記特許文献１〜５の技術では、表示画面が曲面であるので、ユーザと表示画面との相対位置によっては、表示された内容がユーザには変形して見える場合がある。
【０００８】
また、特許文献６の技術では、セグメント型の表示素子（電極パターン形状を予め「８」の字に並べ、数字を表示する表示素子）に関するものであり、表示する画像が、８の字型に並べた各セグメントの組み合わせによって構成される、数字やアルファベットなどの特定の画像に限られる。また、製造工程において、表示面を予め平坦な状態で補正する工程を追加する必要があるので、製造工程の複雑化及びそれに伴うコストの増大を招く。
【０００９】
本発明は、上記の問題に鑑みてなされたものであり、その目的は、非平面形状を有する表示画面に表示される多様な画像を、ユーザに対して、適切に視認可能にする表示装置、それを備えた移動体、表示方法、表示プログラム及びその記録媒体を提供することにある。
【課題を解決するための手段】
【００１０】
本発明による表示装置は、非平面形状を有する表示画面に画像を表示する表示装置において、上記表示画面に表示する画像のデータを、上記表示画面における画像の表示位置に応じて補正する制御手段を備えていることを特徴とする。
【００１１】
上記の構成によれば、制御手段が、表示する画像のデータを、上記表示画面における画像の表示位置に応じて補正する。これにより、例えば、ユーザに対して、非平面形状を有する表示画面に表示される画像を、平面形状を有する表示画面に表示される画像により近い画像で視認させられる。
【００１２】
また、本発明による表示装置は、非平面形状を有する表示画面に画像を表示する表示装置において、上記表示画面に表示する文字のデータを、文字の表示位置に応じて補正する制御手段を備えていることを特徴とする。
【００１３】
これにより、非平面形状の表示画面に表示されたときに、図形などに比べて変形して視認され易い文字について、文字のデータを補正する。そのため、特に補正が必要となる文字のデータについて、ユーザが自然な状態で視認できるように、的確に補正することができる。
【００１４】
また、本発明による表示装置は、非平面形状を有する表示画面に画像を表示する表示装置において、上記表示画面に表示する画像のデータに、文字のデータが含まれているか否かを判別する文字有無判別手段と、上記表示する画像のデータに文字のデータが含まれている場合には、少なくとも文字のデータに対して文字の表示位置に応じて補正を行う制御手段と、を備えていることを特徴とする。
【００１５】
これにより、特に補正が必要となる文字のデータの有無を判断できる。そのため、必要に応じて、的確に補正することができる。
【００１６】
さらに、上記制御手段は、文字の形状を補正する構成となっていてもよい。
【００１７】
これにより、特に補正が必要となる文字データについて、文字の形状を補正し、ユーザが自然な状態で視認可能である状態にすることができる。
【００１８】
さらに、上記制御手段は、表示する画像のデータに含まれる文字のデータについて、各文字を構成する要素同士の相対位置を補正する構成となっていてもよい。
【００１９】
これにより、特に補正が必要となる文字データについて、例えば文字の縦方向または横方向の幅を変化させるように、各文字を構成する要素同士の相対位置を補正できる。
【００２０】
また、上記制御手段は、表示する画像のデータに含まれる文字のデータについて、文字の輪郭を構成する座標のデータを補正することにより、文字の形状を補正する構成となっていてもよい。
【００２１】
これにより、文字のデータについて、文字の輪郭（アウトライン）を構成する座標のデータを補正して、文字の形状を補正することで、文字を構成する細部まで補正でき、ユーザに対してより自然な状態の表示を行うことができる。
【００２２】
さらに、上記制御手段は、文字同士の相対位置を補正する構成となっていてもよい。
【００２３】
これにより、例えば、文字と文字との間隔を変化させるように、文字同士の相対位置を補正できる。
【００２４】
さらに、上記制御手段は、表示画面の各位置に表示する画像のデータを、表示画面に対するユーザの位置に応じて補正する構成になっていてもよい。
【００２５】
これにより、表示される画像のデータは、表示画面に対するユーザの位置に応じて補正される。そのため、ユーザの位置が変化することで、表示画面における、ユーザが画像を変形して視認してしまう位置が変化しても、表示画面の各位置における画像データの補正を適切に行うことができる。
【００２６】
さらに、この表示装置は、上記表示画面に対するユーザの位置を検出する検出手段を備えている構成になっていてもよい。
【００２７】
これにより、上記検出手段を用いてユーザの位置を検出することができ、検出したユーザの位置に応じて表示する画像のデータを適切に補正できる。したがって、例えば、ユーザの表示画面に対する位置が変化しても、変化後の位置に応じて、適切な画像を表示できる。
【００２８】
また、この表示装置は、ユーザからの指示を受け付ける指示入力手段を備え、上記制御手段は、上記指示入力手段に対するユーザの指示に応じて、上記表示画面に対するユーザの位置を判断する構成になっていてもよい。
【００２９】
これにより、制御手段は、上記指示入力手段を用いてユーザの位置を判断することができ、判断したユーザの位置に応じて表示する画像のデータを適切に補正できる。
【００３０】
さらに、上記表示画面は、液晶パネルからなる構成になっていてもよい。
【００３１】
これにより、非平面形状を有する表示画面に表示される多様な画像を、ユーザに対して適切に視認可能に表示できる表示装置を、薄くて汎用性が高い液晶パネルに適用できる、
本発明による移動体は、上記したいずれかの表示装置を備えることを特徴とする。
【００３２】
ここで、移動体とは、例えば、自動車や自動二輪車などの車両、ヘリコプターや飛行機、船舶などあらゆる乗物を含む。
【００３３】
これにより、非平面形状を有する表示画面に表示される多様な画像を、ユーザに対して適切に視認可能に表示できる表示装置を備えた移動体を実現できる。また、非平面形状の表示画面を有する表示装置をこれらの移動体に搭載することにより、当該表示装置を含めた移動体のデザインを多様化できる。例えば、近年の自動車における内装デザインは、曲面形状を基調とするものが多い。このため、搭載する表示装置の表示画面を、非平面形状（例えば曲面形状）とすることにより、内装デザインをトータルコーディネートし、表示装置を違和感なく搭載することができる。
【００３４】
本発明の表示プログラムは、表示装置に備えられたコンピュータを、上記したいずれかの表示装置における制御手段として機能させるためのものである。
【００３５】
上記のようなコンピュータにこの表示プログラムを読取らせることで、上記したいずれかの表示装置における制御手段の処理を、そのコンピュータによって実現することが可能となる。
【００３６】
本発明の記録媒体は、上記の表示プログラムを記録した記録媒体である。これらの表示プログラムをコンピュータによって読取可能な記録媒体に記録させておくことで、表示プログラムの保存・流通を容易に行えるようになる。さらに、この記録媒体を読み込ませることで、コンピュータによって、上記したいずれかの表示装置における制御手段の処理を実施できる。
【発明の効果】
【００３７】
本発明による表示装置は、非平面形状を有する表示画面に画像を表示する表示手段を備えた表示装置において、上記表示画面に表示する画像のデータを、表示画面における画像の表示位置に応じて補正する制御手段を備え、上記制御手段は、補正した画像のデータを表示するよう表示手段を制御することを特徴とする。
【００３８】
上記の構成によれば、制御手段が、表示する画像のデータを、上記表示画面における画像の表示位置に応じて補正する。これにより、例えば、ユーザに対して、非平面形状を有する表示画面に表示される画像を、平面形状を有する表示画面に表示される画像により近い画像で視認させられる。
【発明を実施するための最良の形態】
【００３９】
本発明の一実施の形態にかかる表示装置である、曲面ＬＣＤ（Liquid Crystal Display）１について説明する。図１は、曲面ＬＣＤ１の構成を示したブロック図である。
【００４０】
図１に示されるように、曲面ＬＣＤ１は、ビットマップフォントＤＢ２、部首構成テーブル３、文字補正ＤＢ４、ＣＰＵ（制御手段）５、位置を検出するセンサ（検出手段）６、表示部（表示手段）７、フレームメモリ８、および入力部１１を備える。
【００４１】
曲面ＬＣＤ１は、曲面形状（非平面形状）の液晶パネル（表示画面）を備えている。また、曲面ＬＣＤ１は、自動車などの車両に備えられ、ナビゲーション情報の表示や、テレビ放送、自車の周囲の画像などを表示するものである。なお、本明細書において、画像とは、表示画面に映し出される、文字、図形、写真、およびビデオ画像などの像とする。
【００４２】
ビットマップフォントＤＢ２には、多数の文字に対応するビットマップフォントが記憶されている。ここで、ビットマップフォントとは、文字の形を表現するためのフォント（データ形式）の一つであり、文字を小さな正方形の点(ドット)の集合として表し、ある決まった数の格子ですべての文字の形状を表現したものである。
【００４３】
文字補正ＤＢ４には、文字コードに対する補正内容が多数登録されている。例えば「高」という文字であれば、文字エリアの領域を増加させ、どの座標値のドットを塗りつぶすかを指定したテーブルが登録されており、そのテーブルを参照して、文字の補正が行われる。もしくは、文字コードに対応した補正後のデータが用意されており、表示位置に応じて差し替えて表示するものとしてもよい。また、部首構成テーブル３には、漢字を構成する、例えば偏や旁などの部首がビットマップフォントとして、多数登録されている。部首構成テーブル３に登録されている、文字を偏や旁などに分割（部品化）した部首は、複数の文字で共通に使用される。すなわち、部首構成テーブル３に登録されている部首は部品化されており、これらの部品化された部首を組み合わせることによって、複数の文字を形成するようになっている。
【００４４】
表示部７は、水平方向に湾曲した形状の表示画面を有している。なお、表示画面は、ユーザ側から見て奥行き方向に湾曲した凹型の表示画面となっている。また、この表示画面における、ユーザ側から見て右側に位置する領域を右側エリア、中央に位置する領域を中央エリア、左側に位置する領域を左側エリアとした場合、中央エリアは、左側エリアおよび右側エリアと比較して、曲率が小さい領域（フラットエリア）となっている。また、表示部７は、縦横の行列に並んでいる画素（表示単位）をON／OFFして、文字・図形を表示する、ドットマトリックス型の表示パネルである。
【００４５】
なお、表示部７は、画素の一つ一つにアクティブ素子（それぞれが個別に電極につながっていることにより個別に電圧を保つことができ、電流が流れた場合につながった画素を、個別に点灯させることのできる素子）を搭載して駆動させるアクティブマトリックス型であってもよく、あるいは、液晶層を交差電極で挟んで駆動させる単純マトリックス型であってもよい。
【００４６】
また、表示部７における表示画面は、アスペクト比（縦横比）３：７の矩形形状からなる平面状の表示画面を、中央部分がユーザから見て奥行き方向に湾曲するように、水平方向に湾曲させた形状となっている。すなわち、本明細書において、アスペクト比とは、表示画面の縦の長さと、曲面に沿った横の長さとの比を意味する。
【００４７】
フレームメモリ８は、表示部７に表示する画像データを記憶する。
【００４８】
入力部１１は、ナビゲーションシステムやテレビ放送の受信装置、カメラなどを接続するためのインターフェース（図示せず）を備えている。そして、これらの外部機器から、ナビゲーション情報、テレビ放送、自車の周囲を撮影した画像などの画像データが入力され、入力された情報をＣＰＵ５へ伝達する。
【００４９】
センサ６は、ユーザの位置（ユーザが表示画面の左側エリア、中央エリア、および右側エリアのうち、どのエリアの正面に居るか）を検出するものである。センサ６の構成は特に限定されるものではないが、例えば、赤外線を用いてユーザの位置を検出するものであってもよく、あるいは、表示方向を撮影するカメラを備え、このカメラによって撮影した結果からユーザの位置を検出するようにしてもよい。
【００５０】
ＣＰＵ５は、外部から入力された画像データに文字データが含まれているか否かを判別する文字有無判別部９、および、文字コードを判定する文字コード判定部１０を備える。文字コードとは、例えばＪＩＳコードなどのような、文字や記号をコンピュータ間等で送受信する際に暗号化するための、文字や記号一つ一つに割り当てられた固有の数字のことである。
【００５１】
また、ＣＰＵ５は、表示画面の各位置に表示する画像データをユーザが自然に視認できるように、必要に応じて表示する画像データを補正して、表示画面に画像を表示させる。
【００５２】
また、ＣＰＵ５は、センサ６による検出結果を基にして表示画面に対するユーザの位置を判断し、表示画面に対するユーザの位置に応じて、表示画面の各位置における補正条件を変化させる。すなわち、文字が湾曲した表示画面に表示されたときに、ユーザの居る位置から正常な文字幅で見られるように、補正条件を変化させる。
【００５３】
表示画面に対するユーザの位置の変化に応じて、ＣＰＵ５が表示する画像データを補正する条件を変化させる方法について説明する。図７は、曲面ＬＣＤ１の表示画面とユーザの位置との関係を模式的に示した平面図である。曲面ＬＣＤ１の表示画面には文字が表示されており、図７でＡと示される、表示画面の左端エリア（left area）の前方の領域にユーザが居ると仮定する。表示画面の前方とは、表示されている画像を見ることの可能な、表示画面の正面の方向である。
【００５４】
図７に示す例では、表示画面の中央エリア（center area）に表示されている文字は、ユーザに対して正常に（自然に）見える。すなわち、中央エリアに表示されている文字の幅は、実際に表示されている画像とほぼ同じ幅として視認される。また、表示画面の右端エリア（right area）に表示されている文字も、ユーザに対して正常に見える。
【００５５】
しかし、文字データを補正されずに画像が表示された状態では、表示画面の左端エリアに表示されている文字は、ユーザに対して縦に細長く見える。すなわち、文字の幅は、実際に表示されている画像より狭くなったように見える。
【００５６】
そのため、センサ６の検出結果より、ＣＰＵ５は、ユーザが表示画面の左端エリアの前方に居ると判断した場合、表示画面の左端エリアにはＣＰＵ５により、後述するようにデータが補正された文字を表示し、中央エリアおよび右端エリアには、データが補正されていない文字を表示する。
【００５７】
このように、表示画面の左端エリアに表示する文字のデータを補正して表示することにより、表示画面の左端エリアの前方に居るユーザに対して、左端エリアに表示する文字を、平らな形状を有する画面に表示された文字を見る場合のように、正常な文字幅で視認させられる。
【００５８】
同様に、センサ６の検出結果より、ＣＰＵ５は、ユーザが表示画面の右端エリアの前方に居ると判断した場合、表示画面の右端エリアにはＣＰＵ５により、後述するようにデータが補正された文字を表示し、中央エリアおよび左端エリアには、データが補正されていない文字を表示する。
【００５９】
さらに、センサ６の検出結果より、ＣＰＵ５は、ユーザが表示画面の中央エリアの前方に居ると判断した場合、表示画面の全ての領域に、データが補正されていない文字を表示する。
【００６０】
ここで、ＣＰＵ５が、ビットマップフォントからなる文字データを補正する方法について説明する。データが補正されずに表示された、「語」の文字を図８（ａ）に、「高」の文字を図９（ａ）にそれぞれ示す。図８（ａ）および図９（ａ）に示されるように、文字の幅は正常である。
【００６１】
これに対し、ユーザが表示画面の左側エリアの前方に居る場合に、データが補正されてから表示画面の左側エリアに表示された、「語」の文字を図８（ｂ）に、「高」の文字を図９（ｂ）にそれぞれ示す。図８（ｂ）および図９（ｂ）に示されるように、ＣＰＵ５は、文字を、正常な文字の幅より広く表示されるように、データ補正する。
【００６２】
ＣＰＵ５は、「語」の文字については、部首構成テーブル３を参照して、偏である「言」の部首と旁である「吾」の部首とに分解し、偏と旁との間が広く表示されるように補正する。すなわち、文字を示すドット（画素）について、文字の偏と旁との間のドットの列数を増加させて表示する。なおこのとき、文字表示エリア内のトータルのドット数（つまり、文字表示に使用されるドット数）そのものは変化しないことが好ましい。
【００６３】
また、ＣＰＵ５は、「高」の文字については、部首構成テーブル３を参照して偏と旁との組み合わせではないと判断し、文字補正ＤＢ４を参照して、文字データを分解せずに文字が部分的に幅広く表示されるように補正する。すなわち、文字の左側の部分を示すドットの列数を増加させて表示する。
【００６４】
同様に、ユーザが表示画面の右側エリアの前方に居り、表示画面の右側エリアに「高」の文字を表示する場合、ＣＰＵ５は、文字の右側の部分を示すドットの列数を増加させて、文字が部分的に幅広く表示されるように補正する。「語」の文字については、文字の偏と旁との間のドットの列数を増加させて表示する。
【００６５】
次に、曲面ＬＣＤ１において、ビットマップフォントからなる文字データを補正し、表示画面に画像を表示させる手順について、説明する。図３は、図１の曲面ＬＣＤ１における画像表示の手順を示したフローチャートである。
【００６６】
図３に示されるように、ＣＰＵ５は、文字有無判別部９によって、入力部１１へ外部から入力された画像データについて、文字データが含まれるかどうかを判断する（Ｓ１）。
【００６７】
ＣＰＵ５は、文字有無判別部９によって文字データが含まれない画像データであると判断した場合（Ｓ１、Ｎｏ）、画像データを補正せずに、一旦フレームメモリ８に記憶させる（Ｓ１４）。その後、ＣＰＵ５はフレームメモリ８から画像データを取り出し、画像を表示画面に表示する（Ｓ１５）。これにより、表示処理を終了する（ｅｎｄ）。
【００６８】
ＣＰＵ５は、文字有無判別部９によって文字データが含まれる画像データであると判断した場合（Ｓ１、Ｙｅｓ）、文字コード判定部１０で文字コードを判定し（Ｓ２）、文字データを抽出する（Ｓ３）。すなわち、文字コード判定部１０は、外部から入力された文字データの文字コードを判定し、暗号化された文字データの複合化を行う。
【００６９】
さらに、ＣＰＵ５は、ビットマップフォントＤＢ２を参照して（Ｓ４）、複合化された文字データを、ビットマップフォントとして形成する。
【００７０】
また、ＣＰＵ５は、入力された画像データに含まれる文字データが、表示画面の中央エリア（フラットエリア）に表示されるものであるかを判断する（Ｓ５）。
【００７１】
ＣＰＵ５は、入力された画像データに含まれる文字データを、中央エリア（フラットエリア）に表示する画像データであると判断した場合（Ｓ５、Ｙｅｓ）、文字データを補正せずに、文字データ以外の画像データと合成し、一旦フレームメモリ８に記憶させる（Ｓ１３）。
【００７２】
一方、ＣＰＵ５は、入力された画像データに含まれる文字データが中央エリアでない位置に表示されるものであると判断した場合（Ｓ５、Ｎｏ）、ＣＰＵ５は、センサ６にユーザの位置を検出させる（Ｓ６）。さらに、ＣＰＵ５は、文字が、表示画面の、ユーザが居る側のエリア（ユーザの、表示画面に最も近いエリア）に表示される画像かどうかを判断する（Ｓ７）。
【００７３】
そして、ＣＰＵ５は、入力された画像データに含まれる文字データが、ユーザの居ない側のエリア（ユーザが居る側のエリア以外のエリア）に表示される画像であると判断した場合（Ｓ７、Ｎｏ）、文字データのデータを補正せずに、文字データ以外の画像データと合成し、一旦フレームメモリ８に記憶させる（Ｓ１３）。
【００７４】
また、ＣＰＵ５は、入力された画像データに含まれる文字データが、ユーザの居る側のエリアに表示される画像であると判断し場合（Ｓ７、Ｙｅｓ）、部首構成テーブル３を参照して（Ｓ８）、文字データが、部首構成テーブル３に登録されている、例えば偏や旁などの部首を組み合わせたものであるかを判断する（Ｓ９）。
【００７５】
文字データが、部首構成テーブル３に登録されている偏と旁とを組み合わせたものであると判断された場合（Ｓ９、Ｙｅｓ）、ＣＰＵ５は、表示画面の曲率に基づいて、文字データについて、偏と旁との合成位置を補正する（Ｓ１０）。補正された文字データは、ＣＰＵ５により、文字データ以外の画像データと合成され、一旦フレームメモリ８に記憶される（Ｓ１３）。
【００７６】
文字データが、部首構成テーブル３に登録されている偏と旁とを組み合わせたものでないと判断された場合（Ｓ９、Ｎｏ）、ＣＰＵ５は、文字補正ＤＢ４を参照して（Ｓ１１）、文字の補正を行う（Ｓ１２）。
【００７７】
次に、ＣＰＵ５は、補正した文字データと、文字データ以外の画像データと合成し、一旦フレームメモリ８に記憶させる（Ｓ１３）。
【００７８】
Ｓ１３において、合成され、フレームメモリ８に一旦記憶されたデータを、ＣＰＵ５はフレームメモリ８から取り出し、表示部７に表示するよう指示する。これにより、表示部７は表示画面に画像を表示し（Ｓ１５）、表示処理が終了する（ｅｎｄ）。
【００７９】
以上のように、曲面ＬＣＤ１においては、ＣＰＵ５は表示画面に対するユーザの位置に応じて、湾曲した表示画面に表示する文字を、ユーザの居る位置から正常な文字幅で見えるように、補正する。これにより、ユーザがどの位置から表示画面を見ても、表示されている文字が同じ文字幅であるように視認させられる。また、曲面形状を有する表示画面に表示される画像を、平面形状を有する表示画面に表示されるのと同様に、ユーザに対して、自然な状態で視認させられる。
【００８０】
また、曲面ＬＣＤ１では、特許文献６のように、電極パターン形状を「８の字」型に並べて数字を表示する方法を用いたセグメント型の表示パネルとは異なり、ドットマトリックス型の表示パネルにおいて、画像データの伸縮調整を行うＣＰＵ５（制御回路）が、表示される画像データ自体を補正する。
【００８１】
そのため、画像データを補正する条件を変化させることができ、多様な文字を補正して表示できる。すなわち、表示する文字（画像）や、表示画面に対するユーザの位置などに応じて、画像データの補正条件を変化させ、これらの画像を、より自然な状態でユーザに視認させることができる。
【００８２】
また、曲面ＬＣＤ１では、上記のように、文字の幅を補正して表示する。一般に、文字を曲面形状の表示画面に表示する場合、その他の図形などを表示する場合に比べて、変形して視認され易い。このため、特に補正が必要となる文字について、ユーザが正常な文字幅で視認できるように、的確に補正することができる。
【００８３】
また、曲面ＬＣＤ１では、表示用にデータを予め所持しており、ユーザの配置と表示場所とによって、データを差し替えて表示する。すなわち、偏と旁とをそれぞれ別々のデータとして所持しており、表示位置によって、これらの偏と旁のデータをその都度合成して表示する。これにより、偏と旁からなる文字を、ユーザが正常な文字幅で視認できるように、的確に補正することができる。
【００８４】
また、曲面ＬＣＤ１では、ＣＰＵ５は、文字データについて、偏と旁との合成位置を補正する。すなわち、ＣＰＵ５は、例えば部首構成テーブル３に登録されている、文字の構成要素である偏および旁の相対位置を最小単位として、これらの相対位置を補正する。そのため、文字データについて、文字を構成する部首同士の相対位置、または、文字同士の位置を補正することで、より的確に補正することができる。つまり、文字データにおいては、偏と旁とに分割したデータ構造により、その組み合わせ配置をＬＣＤ上の表示位置によって変更することにより、ユーザがどの位置から見ても、同じような文字幅に感じるような表示を行う。
【００８５】
また、曲面ＬＣＤ１では、センサ６によるユーザの位置の検出結果に基づいて、表示する画像データを、表示画面に対するユーザの位置に応じた補正条件で補正する。そのため、ユーザの位置が変化することで、表示画面における、ユーザに画像が変形して視認される位置が変化しても、表示画面の各位置における画像データの補正を適切に行うことができる。
【００８６】
また、曲面ＬＣＤ１では、ＣＰＵ５が、表示する画像のデータに含まれる文字のデータについて、各文字を構成する要素同士の相対位置を補正する構成とした。しかしながら、これに限定されるものではなく、ＣＰＵ５は、表示する画像のデータに含まれる文字のデータについて、文字同士の相対位置を補正する構成としてもよい。これにより、例えば、文字と文字との間隔を変化させるように、文字同士の相対位置を補正できる。
【００８７】
また、上記の説明では、ビットマップフォントを用いて、文字の構成要素を最小単位として、文字データを補正する構成について説明した。しかしながら、これに限定されるものではなく、例えば、ベクトルフォント（例えば、アウトラインフォントやスケルトンフォント）を用いて、文字データを補正するようにしてもよい。なお、アウトラインフォントとは、文字の形を表現するためのフォント（データ形式）の一つであり、字の輪郭（アウトライン）を表す線を、計算式によって、頂点の座標のデータと直線、曲線を表す関数データとで描き、中を塗りつぶして、文字の形状を表示するものである。また、スケルトンフォントとは、文字の骨格を表すデータに、この骨格に対して肉付けを行うアウトラインからなるデータを組み合わせて生成するフォントである。
【００８８】
ここで、アウトラインフォントを用いて、文字データを補正して、画像表示する構成について説明する。スケルトンフォントについては説明しないが同様の構成でアウトラインフォントに代えて用いることができる。図２は、アウトラインフォントを用いて、文字データを補正して表示する曲面ＬＣＤ１の構成を示したブロック図である。
【００８９】
曲面ＬＣＤ１は、曲面ＬＣＤ１は、ＣＰＵ５、センサ６、表示部７、フレームメモリ８、入力部１１、および、アウトラインＤＢ１３を備える。
【００９０】
アウトラインＤＢ１３は、文字のアウトラインを構成する、頂点の座標のデータと、直線および曲線を示す関数の座標データとが登録されている。
【００９１】
ＣＰＵ（制御手段）５は、文字幅／高さ補正部１２、文字有無判別部９、および、文字コード判定部１０を備える。文字幅／高さ補正部１２は、アウトラインＤＢ１３を参照して、文字データについて、文字幅と高さとを補正する。
【００９２】
ここで、アウトラインフォントを用いて、文字データを補正し、画像表示を行う手順について説明する。図４は、図２の曲面ＬＣＤ１における画像表示の手順を示したフローチャートである。
【００９３】
図４に示されるように、ＣＰＵ５は、文字有無判別部９によって、入力部１１へ外部から入力された画像データについて、文字データが含まれるかどうかを判別する（Ｓ２１）。
【００９４】
ＣＰＵ５は、文字データが含まれない画像データであると判断した場合（Ｓ２１、Ｎｏ）、画像データを補正せずに、一旦、フレームメモリ８に表示される記憶させてから（Ｓ３０）、取り出して、画像を表示画面に表示させる（Ｓ３１）。これにより、表示処理が終了する（ｅｎｄ）。
【００９５】
一方、ＣＰＵ５は、文字データが含まれる画像データであると判断した場合（Ｓ２１、Ｙｅｓ）、文字コード判定部１０で、文字のコードを判定し（Ｓ２２）、文字データを抽出する（文字データを複合化する）（Ｓ２３）。また、ＣＰＵ５は、アウトラインＤＢ１３を参照して（Ｓ２４）、複合化された文字データをアウトラインフォントとして形成する。
【００９６】
また、ＣＰＵ５は、文字データが表示部７のフラットエリアに表示される内容かどうかを判断する（Ｓ２５）。文字データがフラットエリアに表示される画像であると判断した場合（Ｓ２５、Ｙｅｓ）、ＣＰＵ５は、文字データを補正せずに、文字データ以外の画像データと合成し、一旦フレームメモリ８に記憶させる（Ｓ２９）。
【００９７】
文字データがフラットエリアでない位置に表示される画像であると判断した場合（Ｓ２５、Ｎｏ）、ＣＰＵ５は、表示画面に対するユーザの位置を判断する（Ｓ２６）。さらにＣＰＵ５は、文字が、表示画面の、ユーザが居る側のエリアに表示される画像かどうかを判断する（Ｓ２７）。
【００９８】
ＣＰＵ５は、文字を、ユーザの居ない側のエリアに表示される画像であると判断した場合（Ｓ２７、Ｎｏ）、補正していない文字データと、文字データ以外の画像データと合成し、一旦フレームメモリ８に記憶させる（Ｓ２９）。
【００９９】
ＣＰＵ５は、文字が、ユーザの居る側のエリアに表示される画像であると判断した場合（Ｓ２７、Ｙｅｓ）、表示画面の曲率に基づいて、文字のアウトラインを構成する座標のデータを補正して、文字の形状、例えば高さと幅との少なくとも一つを補正する（Ｓ２８）。またこのとき、ＣＰＵ５は、表示画面に対するユーザの位置の変化に応じて、表示画面の各位置における補正条件を変化させる。
【０１００】
補正された文字データは、ＣＰＵ５により、文字データ以外の画像データと合成され、一旦フレームメモリ８に記憶される（Ｓ２９）。
【０１０１】
Ｓ２９において、合成され、フレームメモリ８に一旦記憶されたデータを、ＣＰＵ５はフレームメモリ８から取り出し、表示部７に表示するよう指示する。これにより、表示部７は表示画面に画像を表示し（Ｓ１５）、表示処理が終了する（ｅｎｄ）。
【０１０２】
このように、文字データについて、文字のアウトラインを構成する座標のデータを用いて、文字の高さと幅とを補正することで、文字を構成する細部まで補正でき、ユーザに対してより自然な状態の表示を行うことができる。
【０１０３】
また、上記においては、ＣＰＵ５は、センサ６による、表示画面に対するユーザの位置の検出結果に応じて、表示画面の各位置における補正条件を変化させる構成とした。
【０１０４】
しかしながら、これに限定されるものではなく、例えば補正条件を変化させない構成としてもよい。このような方法における画像表示の手順について、説明する。
【０１０５】
図５は、ビットマップフォントを用いて、補正条件を変化させない、曲面ＬＣＤ１の画像表示の手順を示したフローチャートである。なお、Ｓ４１〜Ｓ４５、および、Ｓ５２〜Ｓ５３の手順は、それぞれ、Ｓ１〜Ｓ５、および、Ｓ１４〜Ｓ１５（図３参照）の手順と同様であり、説明を省略する。
【０１０６】
ＣＰＵ５は、文字データがフラットエリアに表示される画像であると判断した場合（Ｓ４５、Ｙｅｓ）、ＣＰＵ５は、文字データを補正せずに、文字データ以外の画像データと合成し、一旦フレームメモリ８に記憶させる（Ｓ５１）。
【０１０７】
一方、文字データがフラットエリアでない位置に表示される画像であると判断した場合（Ｓ４５、Ｎｏ）、ＣＰＵ５は、部首構成テーブル３を参照して（Ｓ４６）、文字データが、部首構成テーブル３に登録されている、例えば偏や旁などの部首を組み合わせたものであるかを判断する（Ｓ４７）。
【０１０８】
ここで、文字データが、部首構成テーブル３に登録されている偏と旁とを組み合わせたものでないと判断した場合（Ｓ４７、Ｎｏ）、ＣＰＵ５は、文字補正ＤＢ４を参照して（Ｓ４９）、文字の補正を行う（Ｓ５０）。そして、ＣＰＵ５は、補正した文字データを、文字データ以外の画像データと合成し、一旦フレームメモリ８に記憶させる（Ｓ５１）。
【０１０９】
一方、文字データが、部首構成テーブル３に登録されている偏と旁とを組み合わせたものであると判断した場合（Ｓ４７、Ｙｅｓ）、ＣＰＵ５は、表示画面の曲率に基づいて、文字データについて、偏と旁との合成位置を補正する（Ｓ４８）。そして、ＣＰＵ５は、補正した文字データを、文字データ以外の画像データと合成し、一旦フレームメモリ８に記憶させる（Ｓ５１）。
【０１１０】
次に、ＣＰＵ５は、Ｓ５１においてフレームメモリ８に一旦記憶させたデータを、フレームメモリ８から取り出し、表示部７に表示させる（Ｓ５３）。これにより、ＣＰＵ５は表示処理を終了する（ｅｎｄ）。
【０１１１】
また、図５の例では、ビットマップフォントを用いて、補正条件を変化させずに表示を行う例について説明したが、これに限らず、例えば、アウトラインフォントを用いて、補正条件を変化させずに文字データを補正して、画像表示する構成としてもよい。このような構成において、画像表示する手順について説明する。
【０１１２】
図６は、曲面ＬＣＤ１において、補正条件を変化させずに文字データを補正して、画像表示する手順を示したフローチャートである。入力部１１へ外部から画像データが入力されたと仮定する。Ｓ６１〜Ｓ６５、および、Ｓ６８〜Ｓ６９の手順は、それぞれ、Ｓ２１〜Ｓ２５、および、Ｓ３０〜Ｓ３１（図４参照）の手順と同様であり、説明を省略する。
【０１１３】
文字データがフラットエリアに表示されるものであると判断した場合（Ｓ６５、Ｙｅｓ）、ＣＰＵ５は、文字データを補正せずに、文字データ以外の画像データと合成し、一旦フレームメモリ８に記憶させる（Ｓ６７）。
【０１１４】
一方、文字データがフラットエリアでない位置に表示されるものであると判断された場合（Ｓ６５、Ｎｏ）、ＣＰＵ５は、表示画面の曲率に基づいて、文字データについて、文字幅と高さとを補正する（Ｓ６６）。そして、ＣＰＵ５は、補正された文字データを、文字データ以外のデータと合成し、フレームメモリ８に記憶させる（Ｓ６７）。
【０１１５】
次に、ＣＰＵ５は、Ｓ６７においてフレームメモリ８に一旦記憶されたデータを、フレームメモリ８から取り出し、表示部７に表示させる（Ｓ６９）。そして、ＣＰＵ５は、表示処理を終了する（ｅｎｄ）。
【０１１６】
また、上記においては、ＣＰＵ５は、センサ６による、表示画面に対するユーザの位置の検出結果に基づいて、ユーザの位置の変化により、補正条件を変化させる構成とした。
【０１１７】
しかしながら、ユーザの位置を検出する方法は、これに限定されるものではない。例えば、図１０に示されるように、曲面ＬＣＤ１は、ユーザからの指示を受け付ける指示入力部（指示入力手段）１４を備え、ＣＰＵ５は、上記指示入力部に対するユーザの指示に応じて、上記表示画面に対するユーザの位置を判断する構成としてもよい。
【０１１８】
または、指示入力部１４は、ユーザが指示を入力する入力部と、ユーザによって入力された情報を無線送信する送信部とを備えた、例えばリモコンなどの無線送信部と、上記無線送信部によって送信された情報を受信する無線受信部とからなる構成としてもよい。
【０１１９】
また、上記においては、画像データのうち、文字データのみを補正する構成とした。しかしながら、これに限定されるものではなく、例えば図形を含む画像データを補正する構成としてもよい。例えば、画像データを構成するドットの列数および行数を、増加または減少させて、画像の横幅および縦幅が、広くまたは狭く表示されるように補正する構成としてもよい。このように、ＣＰＵ５は表示されるコンテンツを表示位置によって随時変更することにより、正規の位置で見える状態と同じように見えるよう変更して表示する。
【０１２０】
また、上記においては、ＣＰＵ５は、ビットマップフォントを用いて、文字データの、偏と旁との合成位置を補正する構成とした。しかしながら、これに限定されるものではなく、ビットマップフォントを用いて、例えば、偏と旁との「幅」を補正する構成としてもよい。
【０１２１】
または、ＣＰＵ５は、ビットマップフォントを用いて、文字データの、例えば、冠、頭、構えなどの部首の合成位置を補正する構成としてもよい。
【０１２２】
または、文字データの、文字同士の合成位置を、例えば文字間隔を調整するように補正する構成としてもよい。
【０１２３】
また、上記においては、表示装置を曲面ＬＣＤ１であるとした。しかしながら、これに限定されるものではなく、表示装置を、曲面形状の表示画面を有する、例えば有機ＥＬ（Electro Luminescence）や無機ＥＬなどのＥＬ、ヘッドアップディスプレイ、または、プラズマディスプレイとしてもよい。
【０１２４】
また、上記においては、表示装置を、自動車などの車両に備えられ、ナビゲーション情報の表示や、テレビ放送、自車の周囲の画像などを表示するものであるした。しかしながら、表示装置の用途はこれに限定されるものではない。例えば、テレビ放送を受信する受信装置などに接続され、受信した映像を表示するテレビ放送の表示装置であってもよい。または、ビデオ再生装置、パソコン、ＤＶＤ再生装置などに接続され、これらの装置から入力される画像データを表示するものであってもよく、あるいはこれらの装置に一体に備えられるものであってもよい。
【０１２５】
また、例えば、自動車のインストルメントパネルとして備えられ、速度計や回転数計（タコメータ）、水温計、油圧計などの計器類の表示を行うものであってもよい。また、速度計等の計器類およびナビゲーション情報、テレビ放送、自車の周囲の画像などを同時に、あるいは選択的に表示するものであってもよい。また、自動車に限らず、自動二輪車や自転車、飛行機、ヘリコプター、船舶など、あらゆる乗物（移動体）に搭載され、計器類、ナビゲーション情報、テレビ放送、レーダーなどの表示を行うものであってもよい。また、乗物に限らず、携帯電話、ＰＨＳ（Personal Handyphone System、登録商標）、ＰＤＡ（Personal Digital Assistant）、ノート型パソコン、時計などの機器に備えられる表示装置であってもよい。
【０１２６】
また、上記においては、表示画面は、水平方向に湾曲している形状を有するとした。しかしながら、表示画面の形状はこれに限定されるものではなく、非平面形状を有するものであればよい。例えば、上下方向に湾曲している形状や、上下左右に湾曲している、例えば球面形状を有する表示画面であってもよい。さらに、表示画面の湾曲部における曲率は、表示画面の各位置によって異なっていてもよいし、一定の曲率であってもよい。また、複数の平面形状を有する部分を曲面状に組み合わせたものであってもよく、あるいは、平面形状と曲面形状とを組み合わせたものであってもよい。
【０１２７】
また、上下左右に湾曲している形状を有する表示装置の場合、例えば１つの文字の上部と下部とにおいて補正前後の幅の比率が異なるように、または左側と右側とにおいて補正前後の高さの比率が異なるように、補正してもよい。例えば、文字と文字との補正前後の幅の比率が、上部と下部とにおいて異なるように、または文字と文字との補正前後の高さの比率が、左側と右側とにおいて異なるように、補正してもよい。
【０１２８】
また、表示部７における表示画面は、ユーザ側から見て中央部分が奥行き方向に湾曲した凹型の表示画面であるとしたが、これに限るものではない。例えば、ユーザ側から見て中央部分がユーザ側に湾曲した凸型の表示画面であってもよい。
【０１２９】
また、上記においては、表示画面のアスペクト比（縦横比）は、３：７以上の超ワイド画面であるとした。しかしながらこれに限定されるものではなく、例えば、通常のテレビに用いられるのと同じ３：４、あるいはワイド画面のテレビに用いられている９：１５などであってもよい。
【０１３０】
また、表示画面の形状についても、特に限定されるものではない。例えば、円形や楕円形状の平面からなる表示画面を凹型や凸型に湾曲させた形状であってもよく、上下左右に非対称なものであってもよい。
【０１３１】
また、上記の説明では、曲面ＬＣＤ１における全ての処理を、ＣＰＵ５の制御により行うとしている。しかしながら、これに限らず、これらの処理を行うためのプログラムを記録媒体に記録し、このプログラムを読み出すことのできる情報処理装置を、ＣＰＵ５に代えて用いるようにしてもよい。
【０１３２】
この構成では、情報処理装置の演算装置（ＣＰＵやＭＰＵ）が、記録媒体に記録されているプログラムを読み出して処理を実行する。従って、このプログラム自体が処理を実現するといえる。
【０１３３】
ここで、上記の情報処理装置としては、一般的なコンピュータ（ワークステーションやパソコン）の他に、コンピュータに装着される、機能拡張ボードや機能拡張ユニットを用いることができる。
【０１３４】
また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。
【０１３５】
また、プログラムを記録させる記録媒体は、情報処理装置と容易に分離できるものでもよいし、装置に固定（装着）されるものでもよい。さらに、外部記憶機器として装置に接続するものでもよい。
【０１３６】
このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。
【０１３７】
また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。
【０１３８】
本発明は、上述した実施の形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
【産業上の利用可能性】
【０１３９】
本発明は、表示画面が非平面形状からなる表示装置全般に適用でき、例えば、ＥＬ、ＬＣＤ、または、プラズマディスプレイなどに適用できる。また、本発明の表示装置は、テレビやモニター等の画像表示装置や、ワープロやパーソナルコンピュータ等のＯＡ機器、あるいは、ビデオカメラ、デジタルカメラ、携帯電話等の情報端末等に備えられる画像表示装置、時計など、様々な用途で利用できる。また、自動車等の乗物に搭載されるものであってもよい。
【図面の簡単な説明】
【０１４０】
【図１】本発明の一実施の形態に係る、表示装置の構成を示すブロック図である。
【図２】本発明の他の実施の形態に係る、表示装置の構成を示すブロック図である。
【図３】図１の表示装置において、ビットマップフォントを用いて、補正条件を変化させて文字データを補正し、画像表示する手順を示したフローチャートである。
【図４】図２の表示装置において、アウトラインフォントを用いて、補正条件を変化させて文字データを補正し、画像表示する手順を示したフローチャートである。
【図５】図１の表示装置において、ビットマップフォントを用いて、補正条件を変化させずに文字データを補正し、画像表示する手順を示したフローチャートである。
【図６】図２の表示装置において、アウトラインフォントを用いて、補正条件を変化させずに文字データを補正し、画像表示する手順を示したフローチャートである。
【図７】図１または図２の表示装置の備える表示画面とユーザとの位置関係を示す、表示装置の上方から見た平面図でである。
【図８】図１の表示装置の備える表示画面に表示された「語」の文字の構成を示す正面図であり、（ａ）はデータが補正されずに表示された文字の構成を示す正面図であり、（ｂ）はデータが補正されてから表示された文字の構成を示す正面図である。
【図９】図１の表示装置の備える表示画面に表示された「高」の文字の構成を示す正面図であり、（ａ）はデータが補正されずに表示された文字の構成を示す正面図であり、（ｂ）はデータが補正されてから表示された文字の構成を示す正面図である。
【図１０】本発明の他の実施の形態に係る、表示装置の構成を示すブロック図である。
【符号の説明】
【０１４１】
１  曲面ＬＣＤ（表示装置）
２  ビットマップフォントＤＢ
３  部首構成テーブル
４  文字補正ＤＢ
５  ＣＰＵ（制御手段）
６  センサ（検出手段）
７  表示部（表示手段）
８  フレームメモリ
９  文字有無判別部
１０  文字コード判定部
１１  入力部
１２  文字幅／高さ補正部
１３  アウトラインＤＢ
１４  指示入力部（指示入力手段）
【図１】
2007225629.tif 000003
【図２】
2007225629.tif 000004
【図３】
2007225629.tif 000005
【図４】
2007225629.tif 000006
【図５】
2007225629.tif 000007
【図６】
2007225629.tif 000008
【図７】
2007225629.tif 000009
【図８】
2007225629.tif 000010
【図９】
2007225629.tif 000011
【図１０】
2007225629.tif 000012